(57)【要約】本開示は、視覚および電子情報を容易に識別できる方式で提供するシステムを含む。例えば、本開示は、車両識別ウィンドウステッカーとして使用するのに適する、コンビネーションタグ（３８）に関する。コンビネーションタグ（３８）は、光学面（４５）および無線周波応答素子（４２）を有する再帰反射性物品（４０）を含む。無線周波応答素子（４２）はアンテナ（２４）および集積回路（２２）を含む。無線周波応答素子（４２）は、問合せシステムが無線周波応答素子から情報を得ることを可能にするように適応される、情報蓄積・伝送機能を有する。無線周波応答素子は再帰反射性物品に作動可能に連結される。
2005505791.tif 000002
【特許請求の範囲】
【請求項１】
コンビネーションタグであって、
光学面を有する再帰反射性物品と、
アンテナおよび集積回路を含む無線周波応答素子であって、問合せシステムが前記無線周波応答素子から情報を得ることを可能にするように適応される、情報蓄積・伝送機能を有する無線周波応答素子と、
を備え、前記無線周波応答素子は前記再帰反射性物品に作動可能に連結されるコンビネーションタグ。
【請求項２】
前記無線周波応答素子が、前記光学面と同じ方向に向く露出面と、前記光学面と露出面上に配置される接着剤と、を含む、請求項１に記載のコンビネーションタグ。
【請求項３】
前記露出面が、その上に配置される、第１接着値を有する第１感圧接着剤と、第１接着値より大きい第２接着値を有する第２感圧接着剤と、を有する、請求項２に記載のコンビネーションタグ。
【請求項４】
前記第１および第２感圧接着剤がアンテナ上に直接配置される、請求項３に記載のコンビネーションタグ。
【請求項５】
前記接着剤および前記アンテナのうちの少なくとも１つの上に選択的に配置される剥離剤を有する、請求項２に記載のコンビネーションタグ。
【請求項６】
前記再帰反射性物品が金属蒸着されないキューブコーナー物品であり、無線周波応答素子が光学面上に配置される、請求項１に記載のコンビネーションタグ。
【請求項７】
前記再帰反射性物品が金属蒸着した部分を含み、前記無線周波応答素子が前記金属蒸着した部分のそばに配置される、請求項１に記載のコンビネーションタグ。
【請求項８】
前記再帰反射性物品が、前記無線周波応答素子から間隔を置いて配置されるように、前記再帰反射性物品および前記無線周波応答素子が基板に結合される基板をさらに含む、請求項７に記載のコンビネーションタグ。
【請求項９】
前記再帰反射性物品が、金属蒸着したキューブコーナー物品、または微小球型物品のうちの１つを含む、請求項７に記載のコンビネーションタグ。
【請求項１０】
前記再帰反射性物品が印刷された証印を上面に含む、請求項１に記載のコンビネーションタグ。
【請求項１１】
前記印刷された証印が非金属性インクを含む、請求項１０に記載のコンビネーションタグ。
【請求項１２】
前記無線周波応答素子が印刷された証印をその上に含む、請求項１に記載のコンビネーションタグ。
【発明の詳細な説明】
【技術分野】
【０００１】
本発明は、再帰反射機能および無線周波応答機能の両方を有する物品に関する。より詳しくは、本開示は、ウィンドウステッカーとして使用するように適合され、かつ不正行為防止および情報検索のために使用するのに適した、再帰反射機能および無線周波応答機能を組み入れる安全タグに関する。
【背景技術】
【０００２】
車両のナンバープレートは、車両および車両の対応する所有者を識別するために広く使用される、１つの典型的な物品である。車両のナンバープレートは、自動車登録番号、および登録の州、地域、または国のほかに、所有者は通用するナンバープレートを持っているかどうかもまた通常含む、制限された量の情報を伝える。ナンバープレートは通常、再帰反射性シートから形成され、方向性のある画像、例えば、「３７５０Ｅ」という商品名で、ミネソタ州セントポールのミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ（Ｓｔ．Ｐａｕｌ，Ｍｉｎｎｅｓｏｔａ））製のナンバープレートシートから得られる、エンシュア（Ｅｎｓｕｒｅ）（商標）画像のような安全機能を有する。この機能は偽造するのが困難であり、完成したナンバープレートの真偽の即時の視覚による検証を容易にする。
【０００３】
時にＲＦＩＤ技術と呼ばれる、無線周波識別技術が、種々の商業的応用を有し、通常、制限された距離から対象を識別し、追跡するために使用される。無線周波応答素子が対象を識別する電子情報を含む。
【発明の開示】
【発明が解決しようとする課題】
【０００４】
ナンバープレートか、或いはＲＦＩＤ技術によって現在与えられる、安全および情報にさらなる補足が求められている。その上に、不正行為または偽造からさらに防護する必要がある。例えば、適切な量の情報を伝える車両識別システム、および対象とする車両以外の車両でこのシステムを使用することが困難であるものを確保する必要がある。
【課題を解決するための手段】
【０００５】
本開示は、視覚および電子情報を容易に識別できる方式で提供するシステムを含む。例えば、本開示は、車両識別ウィンドウステッカーとして使用するのに適する、コンビネーションタグに関する。コンビネーションタグは、光学面および無線周波応答素子を有する再帰反射性物品を含む。無線周波応答素子はアンテナおよび集積回路を含む。無線周波応答素子は、問合せシステムが無線周波応答素子から情報を得ることを可能にするように適応される、情報蓄積・伝送機能を有する。無線周波応答素子は再帰反射性物品に作動可能に連結される。一例を挙げれば、タグは光学面および無線周波応答素子の上に配置された接着剤を含む。この接着剤は、タグを車両ウィンドウの内側に取り付けるために使用され得る。一例を挙げれば、接着剤は、誰かがタグをウィンドウから取り外そうとする場合、無線周波応答素子を引き裂いて破壊するであろう高強力接着剤である。無線周波応答素子に格納した情報が、適切な量の情報を伝え、かつより安全にするために、再帰反射性物品上の視覚情報と統合され得る。
【発明を実施するための最良の形態】
【０００６】
本開示のコンビネーションタグは、再帰反射性物品、および無線周波信号に応答する素子の両方を組み入れて、確実な車両識別システムを形成する。図１はそのようなコンビネーションタグ１０のブロック図を示す。タグ１０は、無線周波応答素子１４に作動可能に連結される再帰反射性物品１２を含む。再帰反射性物品１２は、光線１８によって示す、光学面１６に種々の角度で入射する光が、光線２０によって示すようにほぼ逆平行に反射され、光源（図示せず）の方へ戻る、光学面１６を含む。無線周波応答素子１４は情報蓄積・伝送機能を有し、仮想線で示す集積回路２２、およびアンテナ２４を含む。素子１４は、電磁波２６、２７によって示すように、問合せシステムが素子から情報を得ることを可能にするように適合され、以下にさらに詳細に説明される。
【０００７】
図２Ａおよび２Ｂは、無線周波応答素子１４に作動可能に連結される、再帰反射性物品１２の２つの例の略側面図を示す。他の例が考えられる。金属の近くで動作する場合、典型的な無線周波応答素子は正しく動作しないか、またはデチューンする。金属から約１／４インチ、すなわち６ｍｍ以内の場合、典型的な無線周波応答素子はデチューンする。いくつかの種類の再帰反射性物品が動作のために金属蒸着面に依存する。そのような場合に、金属蒸着した再帰反射性物品上に直接置かれると、無線周波応答素子はデチューンするであろう。図２Ａは、基板１１５上に無線周波応答素子１１４から間隔を置いて配置される、金属蒸着した再帰反射性物品１１２付きのタグ１１０を示す。物品１１２の光学面１１６が、無線周波応答素子１１４の露出した主表面１１７と同じ方向に通常向いている。示される例において、基板１１５は金属を含まない。無線周波応答素子１１４は、素子１１４の動作を著しく妨げないように、基板１１５上に金属蒸着した再帰反射性物品１１２から間隔を置いて配置される。図２Ｂは、無線周波応答素子２１４が、分離基板を必要とせずに、金属蒸着してない再帰反射性物品２１２の光学面２１６上に直接置かれる、タグ２１０を示す。無線周波応答素子２１４は、光学面２１６と同じ方向に通常向いている、露出した主表面２１７を含む。タグ１１０、２１０はまた、光学面１１６、２１６それぞれに、かつ露出した主表面１１７、２１７それぞれに施され、従って車両ウィンドウの内面などに施される接着剤（図示せず）をさらに含むことが可能であり、従ってタグ１１０、２１０を車両の外側から読取ることができる。
【０００８】
無線周波応答素子は能動素子か、或いは受動素子であり得る。能動タグが、電池のような追加エネルギー源をタグ構造に組み込む。このエネルギー源によって、能動無線周波応答素子は、問合せ無線周波数場が弱い領域でさえも強い応答信号を発生し、伝送することが可能となり、従って能動無線周波応答素子はより大きい範囲で検出され得る。しかしながら、電池の比較的短い寿命がタグの有効寿命を制限する。その上、電池はタグのサイズおよびコストを増す。受動素子は、素子に電力を供給するのに必要なエネルギーを問合せ無線周波数場から得て、そのエネルギーを使用して、アンテナが問合せ場に示すインピーダンスを調整し、それによってリーダーアンテナに反射されて戻る信号を調整することによって、応答コードを伝送する。従ってその範囲はより制限される。受動素子は多くの応用にとって好ましいので、説明の残りがこの種類の素子に限定されるであろう。また一方、当業者は、これらの２つの型の素子は多くの機能を共有すること、かつ両方とも本開示の例で使用され得ることを認めるであろう。
【０００９】
図３に示すように、受動無線周波応答素子１４は通常２つの部品、すなわち集積回路２２およびアンテナ２４を含む。集積回路は主要な識別機能を備える。それは、タグ識別および他の望ましい情報を永続的に格納し、問合せハードウェアから受取ったコマンドを解釈、処理し、リーダ／ライタによる情報に対する要求に応答し、問合せに同時に応答する複数のタグによる競合を解消してハードウェアを支援するために、ソフトウェアおよび回路を含む。任意に、集積回路は、情報をただ読み出すだけ（読取り専用）とは対照的に、そのメモリ（読み書き）に格納した情報を更新する。無線周波応答素子での使用に適する集積回路は、例えば、テキサス・インストルメント（Ｔｅｘａｓ  Ｉｎｓｔｒｕｍｅｎｔｓ）（製品系列ＴＩＲＩＳ）、フィリップス（Ｐｈｉｌｉｐｓ）（製品系列マイフェア・アンド・ハイタグ（Ｍｉｆａｒｅ  ａｎｄ  Ｈｉｔａｇ））、モトローラ／インダラ（Ｍｏｔｏｒｏｌａ／Ｉｎｄａｌａ）、およびシングル・チップ・システムズ（Ｓｉｎｇｌｅ  Ｃｈｉｐ  Ｓｙｓｔｅｍｓ）から入手可能な集積回路を含む。一例が、「＃ＲＩ-Ｉ０１-１１０Ａ」という商品名で、テキサス・インストルメント（Ｔｅｘａｓ  Ｉｎｓｔｒｕｍｅｎｔｓ）によって販売されているタグである。
【００１０】
アンテナの形状寸法および特性が、タグの無線周波応答部分の所望の動作周波数に依存する。例えば、２．４５ＧＨｚ（または同様な）無線周波応答素子が通常、リニアダイポールアンテナ（図示せず）または折り返しダイポールアンテナ（図示せず）のような、ダイポールアンテナを含むだろう。１３．５６ＭＨｚ（または同様な）無線周波応答素子が、スパイラルまたはコイルアンテナ２４を使用するだろう。いずれにしても、アンテナ２４は問合せ源によって放射される無線周波エネルギーを傍受する。この信号は電力およびコマンドの両方をタグに伝える。アンテナは、無線周波応答素子がIＣチップに電力を供給し、それによって検出される応答を与えるのに充分なエネルギーを吸収するのを可能にする。従って、アンテナの特性を組み込まれるシステムに適合させる必要がある。高いＭＨｚ〜ＧＨｚ範囲で動作するタグの場合、重要な特性はアンテナの長さである。通常、ダイポールアンテナの実効長が、それは問合せ信号の半波長または複数の半波長に近いように、選定される。半波長アンテナがサイズの制限のために実用的でない、低〜中ＭＨｚ領域（例えば１３．５６ＭＨｚ）で動作するタグの場合、重要な特性はアンテナのインダクタンスおよびアンテナコイルの巻き回数である。両アンテナ型とも良好な電気伝導度が必要である。通常、銅またはアルミニウムのような金属が使用されるであろうが、パーマロイのような磁気金属を含む他の導体も許容される。選択されるIＣチップの入力インピーダンスが、最大エネルギーを伝導するために、アンテナのインピーダンスと整合することもまた重要である。
【００１１】
コンデンサ３０がマーカーの性能を向上させるためにしばしば含まれる。コンデンサ３０は、有る場合、タグの動作周波数を特定の値に合わせる。これは、最大動作範囲を得るために、かつ法的な要求事項の順守を確保するために望ましい。コンデンサは個別部品であるか、或いは以下に説明するようにアンテナに組み入れられる。いくつかのタグ設計、特に、２．４５ＧＨｚのような超短波で動作するように設計されるタグにおいて、同調コンデンサが必要ではない。コンデンサがアンテナによって与えられるインダクタンスに結合される場合、複合構造の共振周波数が、次式によって与えられ、ＲＦＩＤシステムの所望の動作周波数にほぼ一致するように、コンデンサは選定される。
【数１】
2005505791.tif 000003
ここで、
Ｃ＝容量（単位：ファラド）
Ｌ＝インダクタンス（単位：ヘンリー）
コンデンサはまた、スリーエム（３Ｍ）に譲渡された、米国特許第４，５９８，２７６号明細書（タイト（Ｔａｉｔ）ら）、および第４，５７８，６５４号明細書（タイト（Ｔａｉｔ）ら）に記載されているような分布コンデンサであるかもしれない。分布コンデンサは、タグのサイズ、特に厚さを小さくするために、かつ人手による組立てを最小限にするために望ましい。
【００１２】
動作時、図４に示すように、無線周波応答タグ１０は電子物品安全システム３００によって問い合わされ、このシステムは通常、タグが監視されるポイントの近くに設置される。手持ち式の検出装置が使用されるかもしれない。問合わせ源３０２（通常、駆動発振器および増幅器を含む）が、交番無線周波場、または問合わせ信号を問合わせ帯に伝送するためのアンテナ３０４（時々、フィールドコイルと記載される）に結合される。システム３００はまた、信号を受取るためのアンテナ（アンテナ３０４として示す、そして時々受信コイルと記載される）、および問合わせ帯内のタグによって生成される信号を処理するための検出器３０６を含む。
【００１３】
問合わせ源３０２は問合わせ信号２１０を伝送し、この信号は、他の応用を妨害しないので、かつ適用される政府の規制に適合するので好ましい、ある既知の周波数帯内で選択される。無線周波応答素子が問合わせ信号を受取る場合、それは、アンテナ３０４によって受取られ、かつ検出器３０６へ伝送される、それ自体の応答コード信号３０２を伝送する。検出器は応答を復号し、タグを（通常、コンピュータまたは他の記憶装置３０８に格納した情報に基づいて）識別し、検出したコード信号に基づいて処置する。図示したシステムの種々の変更態様、例えば、示される単一アンテナ３０４に代えて、問合わせ源３０２および検出器３０６のための別個のアンテナを使用することなどが、当業者に知られている。
【００１４】
図５は、基板４４上に互いに間隔を置いて配置される、金属蒸着した再帰反射性物品４０および無線周波応答素子４２付きのタグ３８の例の略側断面図を示す。無線周波応答物品は図３に関して上述したものであり得る。基板４４は、その対象とする用途で長寿命に適している、耐久性のある素子であり、無線周波応答素子４２をデチューンしないように適合される。示される例で、基板４４は、リトラマ（Ｒｉｔｒａｍａ）から入手可能なポリプロピレン紙のような、ポリマー紙である。アクリル感圧接着剤のような接着剤４１が使用されて、再帰反射性物品４０および無線周波応答素子４２を基板４４に取り付ける。接着剤４３が、再帰反射性物品４０および無線周波応答素子４２の光学面４５および露出面４７に塗布される。示される例で、接着剤４３は透明である。また、接着剤４１、４３は、基板上の再帰反射性物品４０と無線周波応答素子４２との間の隙間を充填する。
【００１５】
再帰反射性物品４０は、タグ３８での使用に適する微小球型再帰性反射体のいくつかの形の一例である。例では、再帰反射性物品４０は光学球４６の封入単層を含み、この光学球は、この例ではガラスから形成され、例えばポリビニルブチラールまたはポリエステルを含むスペーサ樹脂４８で被覆される。レフレクタ層５０が、銀、アルミニウム、クロム、ニッケル、またはマグネシウムのような不透明な材料、ビスマス、３酸化物、硫化亜鉛、２酸化チタン、または酸化ジルコニウムのような透明な高屈折率性反射層、あるいは多層反射層を含み得る。光がスペーサ樹脂４８を通って再帰反射性物品４０に入り、微小球４６によって収束される。次いで、光は反射層５０によって反射されて、微小球４６およびスペーサ樹脂４８を通って光源の方へ戻る。
【００１６】
微小球型再帰反射性物品の変形形態が考えられる。例えば、光学球はスペーサ樹脂内に部分的に埋め込まれ、スペーサ樹脂が反射層とビードボンド層との間にあるように、ビードボンド層で被覆され得る。ビードボンド層は、再帰反射性物品に、周辺光で色のついた外観を、そして再帰反射光で銀のような異なる外観を与える有色顔料を含み得る。再帰反射性物品の別の変形形態が微小球の露出単層を含む。
【００１７】
図６は、微小球の代わりに非常に多数のキューブコーナー再帰反射性素子５６を有するキューブコーナー再帰性反射体５５を含む、金属蒸着した再帰反射性物品５４付きのタグ５２の別の例の略側断面図を示す。再帰反射性物品５４および無線周波応答素子５８は、基板６０上に互いに間隔を置いて配置され、接着剤６２で基板に取り付けられる。再帰反射性物品５４の光学面６４および無線周波応答素子５８の露出面６６が接着剤６８で被覆される。
【００１８】
キューブコーナー再帰性反射体５５は、ビニル、ポリカーボネート、アクリル酸塩、または他の材料のような、適切な熱可塑性プラスチック材料から形成され得るか、あるいはウレタン、エポキシ、ポリエステル、およびアクリレートオリゴマーまたはモノマーのような材料を硬化させることによって形成され得る。キューブコーナー素子５６は通常、光源の方へ光を再帰反射するために協力する、３つの相互に垂直な面を有する。示される例で、再帰性反射体５５は、キューブコーナー素子５６を含むモノリシック部材である。代わりに、キューブコーナー素子はバッキングに取り付けられて、再帰性反射体を形成する。この場合に、キューブコーナー素子は、バッキングを形成するために使用される材料以外の材料から形成される。再帰性反射体５５は、光学面６４に取り付けられるオーバーレイ（図示せず）を含み得る。オーバーレイは、アクリル酸塩、またはポリエチレンテレファレート／コ・ポリエチレンテレファレートラミネートから形成され得る。接着剤６８はオーバーレイに塗布されるだろう。
【００１９】
示される例で、再帰反射性物品５４は、キューブコーナー素子５６に取り付けられる鏡面反射層７０を含む。反射層７０は、図５のレフレクタ層５０を形成するために使用される同じ材料から形成され得る。光学面６４からキューブコーナー再帰性反射体５５に入る光が、キューブコーナー素子５５の３つの相互に垂直な面によって鏡面反射されて、光源へ戻される。
【００２０】
示される例で、レフレクタ層７０は、無線周波応答素子が再帰反射性物品５４の極近くに置かれる場合、無線周波応答素子５８をデチュ−ンするであろう材料から形成される。すなわち、キューブコーナー素子５６は金属蒸着される。従って、無線周波応答素子５８は、無線周波応答素子５８の性能に実質的に影響を及ぼさないように、再帰反射性物品５４から充分な距離を置いて配置される。
【００２１】
図７は、無線周波応答素子７６が再帰反射性物品７４に直接取り付けられるように、金属蒸着されない再帰反射性物品７４付きのタグ７２の別の略側断面図である。接着剤７８が使用されて、無線周波応答物品を光学面８０に取り付ける。例において、無線周波応答素子７６の露出面８２が光学面８０と同じ方向を向いている。再帰反射性物品７４は、非常に多数のキューブコーナー素子８６を有するキューブコーナー再帰性反射体８４を含む。キューブコーナー再帰性反射体８４およびキューブコーナー素子８６は、上述と同じ方法で形成され得る。また、キューブコーナー再帰性反射体８４は、上述のように、接着剤７８が堆積されるオーバーレイ（図示せず）を含み得る。再帰性反射体８４は、キューブコーナー素子８６を周囲環境から遮断するために、かつ湿気または塵埃などがキューブコーナー素子８６に集まるのを防止するために、キューブコーナー素子８６に種々の位置８９で取り付けられるバッキング８８を含む。バッキング８８はキューブコーナー素子８６との界面１００を維持し、これは再帰反射を可能にする。空気界面１００およびキューブコーナー素子８６を形成する材料の再帰反射指数が、光学面８０を通ってある角度で反射体８４に入る光が透明なキューブコーナー素子８６を通過しないようになっている。もっと正確に言えば、光は、キューブコーナー素子８６内の３つの相互に垂直な面の各々によって鏡面反射されて、源へ戻されるであろう。バッキング８８は、ポリエチレンテレファレート／コ・ポリエチレンテレファレートラミネートのような、種々の材料から作られ得る。接着剤１０１がタグ７２を覆う。
【００２２】
いくつかの例で、光学面および露出面の上に置かれる接着剤は高強力接着剤であり、無線周波応答素子のアンテナに直接付着される。誰かがアンテナを車両ウィンドウの内側から取り除こうとする場合、アンテナは引き裂かれて、壊される。別の例で、剥離剤がアンテナまたは高強力接着剤の種々の位置に置かれ、高強力接着剤と組み合わせて使用され得る。除去が試みられる場合、剥離剤を含むことによって起る、異なる剥離が接着剤を剥離させて、アンテナをさらに引き裂く。この例の一変形形態が、無線周波応答素子上で２つ以上の接着剤を使用することであり、そこで各接着剤は異なる強度または接着値を有する。アンテナの破壊が安全を向上させる。（このさらなる安全が必要でない場合、接着剤が無線周波応答素子と直接接触しないように、露出面を含む無線周波応答素子は高分子材料で包まれ、タグに取り付けられ得る。）
【００２３】
さらなる安全のために、タグ１０は、他のコーティングを施した、または施さない視覚情報を含み得る。例えば、再帰反射性物品１２はホログラフィック層を含み得るか、或いは再帰反射性物品は方向性をもってイメージされ得るか、または現在当業界で知られているフローティング画像と共に含まれ得る。別の例は、バーコードまたはドットコードのような、タグの情報のための暗号化コードとして、無線周波応答素子１４のデータを使用することがある。ドットコードの一例が、カリフォルニア州バン・ナイズのベリテック・インク（Ｖｅｒｉｔｅｃｈ，Ｉｎｃ．（Ｖａｎ  Ｎｕｙｓ，Ｃａｌｉｆｏｒｎｉａ））によるものである。あるタグを復号する不正な方法が他のタグに効かないように、組合せによって各タグのドットコードが異なるだろう。当業者は、ドットコードのようなタグの視覚情報が使用されて、無線周波応答素子の情報もまた復号できることを認識できる。
【００２４】
図８はタグ１０の一例の平面図を示す。この例は上の図５の例に基づいている。タグ３８が、基板４４に取り付けられる、再帰反射性物品４０および無線周波応答素子４２を含む。再帰反射性物品４０は、「３７５０」という商品名で、ミネソタ州セントポールのミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ（Ｓｔ．Ｐａｕｌ，Ｍｉｎｎｅｓｏｔａ））から入手可能である。再帰反射性物品４０は、印刷された証印１０２をメキシコのナンバープレートの画像の形で含む。無線周波応答素子４２はまた、視覚情報を与えるのに加えて、無線周波応答素子４２をある程度見えなくするのに役立つ証印１０３を含む。証印１０３は、素子４２をデチューンするであろう金属性インクを含んではならない。感圧接着剤４３がタグ３８を覆い、無線周波応答素子４２上のアンテナの部分に堆積される剥離剤を含む。この例で、再帰反射性物品４０および無線周波応答素子４２は、車両登録を確認するために使用され得る。無線周波応答素子４２は電子的に読取られ、情報がナンバープレートおよび車両識別番号と比較されて、それが正当であることを保証し得る。示される例で、無線周波応答素子４２は、登録税または保険金が納められる場合に更新されて、即座の確認方法を取締官に提供する。
【００２５】
開示した実施形態の種々の変更態様および組合せが、当業者にとって明らかであろうし、それらの変更態様は、添付の特許請求の範囲に規定される本発明の範囲内に包含されるように意図される。
【図面の簡単な説明】
【００２６】
【図１】コンビネーションタグのブロック図である。
【図２Ａ】図１のタグの一例の略側面図である。
【図２Ｂ】図１のタグの一例の略側面図である。
【図３】図１のタグで使用される無線周波応答素子の略平面図である。
【図４】図３の無線周波応答素子と情報をやりとりする、ＲＦＩＤ問合せシステムのブロック図である。
【図５】図１のタグの一例の略側断面図である。
【図６】図１のタグの別の例の略側断面図である。
【図７】図１のタグのさらに別の例の略側断面図である。
【図８】図１のタグの一例の平面図である。
【国際公開パンフレット】
2005505791.tif 000004
2005505791.tif 000005
2005505791.tif 000006
2005505791.tif 000007
2005505791.tif 000008
2005505791.tif 000009
2005505791.tif 000010
2005505791.tif 000011
2005505791.tif 000012
2005505791.tif 000013
2005505791.tif 000014
2005505791.tif 000015
2005505791.tif 000016
2005505791.tif 000017
2005505791.tif 000018
2005505791.tif 000019
【国際調査報告】
2005505791.tif 000020
2005505791.tif 000021
2005505791.tif 000022